(57)【要約】【課題】省電力化および表示パネルの長寿命化を実現するとともに、表示品質を低下させることのない携帯型電子機器および携帯型音楽再生装置を提供する。【解決手段】携帯型電子機器１の省電力化を実現しながら、時計表示を行わせることが可能になり、携帯型電子機器１の主たる機能を損なうことなく付加価値を付与することができる。また、ＥＬ表示部１２が消灯している場合でもスイッチ操作で時計表示に復帰し、さらにスイッチ操作することでオーディオ等の操作画面に復帰することから煩雑な操作を要しない。【選択図】図７
2007133273.tif 000002
【特許請求の範囲】
【請求項１】
表示部を有する本体と、
前記本体に設けられて前記表示部で表示可能な時計表示に基づく複数の省電力表示モードを選択する選択部と、
機器で実行可能な機能に基づく表示画像が前記表示部に表示された状態で一定の無操作時間が経過したとき、前記選択部により選択された前記省電力表示モードに基づいて前記表示部に無表示の状態を含む時計表示を行わせる表示制御部とを有することを特徴とする携帯型電子機器。
【請求項２】
ＥＬ（Electro-Luminescence）ディスプレイからなる表示部を有する本体と、
前記本体に設けられて前記表示部で表示可能な時計表示に基づく複数の省電力表示モードを選択する選択部と、
機器で実行可能な音声又は画像に関連する操作に基づく表示画像が前記表示部に表示された状態で一定の無操作時間が経過したとき、前記選択部により選択された前記省電力表示モードに基づいて前記表示部に無表示の状態を含む時計表示を行わせる表示制御部とを有することを特徴とする携帯型電子機器。
【請求項３】
前記表示制御部は、前記複数の省電力表示モードに含まれる第１の省電力表示モードとして、前記一定の無操作時間の経過後に前記表示部に時計表示を行わせるとともに、前記時計表示の開始後さらに一定の無操作時間が続いたとき前記表示部への通電を停止する請求項１又は２に記載の携帯型電子機器。
【請求項４】
前記表示制御部は、前記複数の省電力表示モードに含まれる第２の省電力表示モードとして、前記一定の無操作時間の経過後に前記表示部に時計表示を行わせるとともに、前記時計表示の輝度を時間の経過とともに変化させる請求項１又は２に記載の携帯型電子機器。
【請求項５】
前記表示制御部は、前記記憶部に記憶されている画像データに基づいて前記表示部にスライドショーに基づく画像表示が行われているときは前記時計表示への切り替えを行わない請求項１又は２に記載の携帯型電子機器。
【請求項６】
前記表示制御部は、前記機器で録音が実行されているときは前記時計表示への切り替えを行わない請求項２に記載の携帯型電子機器。
追加請求項
【請求項７】
表示部を有する本体と、
音楽データを記憶する記憶部と、
前記記憶部に記憶された音楽データを再生する再生部と、
前記再生部により再生されている音楽に関する表示画像が表示された状態で、一定の無操作時間が経過したとき、前記表示部の画面表示を時計表示に切り替えて継続的に表示する第１の表示モードと、前記表示部の画面表示を時計表示に切り替え、更に設定時間の経過後に前記表示部への通電を停止して無表示状態とする第２の表示モードと、前記表示部の画面表示を時計表示に切り替え、この時計表示の輝度を時間の経過とともに変化させる第３の表示モードとを選択する表示モード選択部と、
前記表示モード選択部によって選択された表示モードに応じて、前記表示部の表示内容を切り替える表示制御部とを具備したことを特徴とする携帯型音楽再生装置。
【発明の詳細な説明】
【技術分野】
【０００１】
本発明は、文字、画像等の情報を表示可能な表示部を有する携帯型電子機器および携帯型音楽再生装置に関し、特に、機器の省電力化を図ることのできる携帯型電子機器および携帯型音楽再生装置に関する。
【背景技術】
【０００２】
近年、携帯型電子機器としてハードディスクドライブやフラッシュメモリ等の記憶部を有し、この記憶部に記憶された音楽データを再生し、ヘッドホン等の出力部から音声出力するものが知られている。このような携帯型電子機器として、文字や画像を表示する有機ＥＬ（Electro-Luminescence）やＬＥＤ（Light Emitting Diode）からなる表示部を有するものがあるが、文字や画像の表示にあたって本体に内蔵された電池から電力を供給していることから、表示に要する電力消費を低く抑えることが課題となっている。
【０００３】
このような携帯型電子機器の省電力化を実現するものとして、電池電圧が一定のレベル以下に低下し、かつ、低電圧表示制御がセットされているときに表示パネルに表示される文字表示を変更するものが提案されている（例えば、特許文献１参照。）。
【０００４】
特許文献１に記載された携帯型電子機器によると、表示パネルに表示される文字を小さくする、あるいは、サイズは不変で文字の線を細くする、さらには文字のサイズを小さくするとともに線を細くすることで省電力化を図るようにしている。
【特許文献１】特開２００４−１７８０２９（図３、〔００１３〕）
【発明の開示】
【発明が解決しようとする課題】
【０００５】
しかし、特許文献１の携帯型電子機器よると、文字表示の面積を可変させることにより消費電力を低減させているため、低電圧時の表示における文字の視認性が低下する。また、文字表示を変化させても一部のセグメントについては通常時と同様に電圧が印加されることから、特に有機ＥＬの表示パネルの場合には、セグメントのパターン焼き付きが生じ、表示パネルの輝度むらを生じさせるばかりでなく、寿命が短くなるという問題がある。
【０００６】
従って、本発明の目的は、省電力化および表示パネルの長寿命化を実現するとともに、表示品質を低下させることのない携帯型電子機器および携帯型音楽再生装置を提供することにある。
【課題を解決するための手段】
【０００７】
本発明は、上記の目的を達成するため、表示部を有する本体と、前記本体に設けられて前記表示部で表示可能な時計表示に基づく複数の省電力表示モードを記憶する記憶部と、機器で実行可能な機能に基づく表示画像が前記表示部に表示された状態で一定の無操作時間が経過したとき、選択された前記省電力表示モードに基づいて前記表示部に無表示の状態を含む時計表示を行わせる表示制御部とを有する携帯型電子機器を提供する。
【０００８】
また、本発明は、上記の目的を達成するため、ＥＬディスプレイからなる表示部を有する本体と、前記本体に設けられて前記表示部で表示可能な時計表示に基づく複数の省電力表示モードを記憶する記憶部と、機器で実行可能な音声又は画像に関連する操作に基づく表示画像が前記表示部に表示された状態で一定の無操作時間が経過したとき、選択された前記省電力表示モードに基づいて前記表示部に無表示の状態を含む時計表示を行わせる表示制御部とを有する携帯型電子機器を提供する。
【０００９】
また、本発明は、上記の目的を達成するため、表示部を有する本体と、音楽データを記憶する記憶部と、前記記憶部に記憶された音楽データを再生する再生部と、前記再生部により再生されている音楽に関する表示画像が表示された状態で、一定の無操作時間が経過したとき、前記表示部の画面表示を時計表示に切り替えて継続的に表示する第１の表示モードと、前記表示部の画面表示を時計表示に切り替え、更に設定時間の経過後に前記表示部への通電を停止して無表示状態とする第２の表示モードと、前記表示部の画面表示を時計表示に切り替え、この時計表示の輝度を時間の経過とともに変化させる第３の表示モードとを選択する表示モード選択部と、前記表示モード選択部によって選択された表示モードに応じて、前記表示部の表示内容を切り替える表示制御部とを具備した携帯型音楽再生装置を提供する。
【発明の効果】
【００１０】
本発明によれば、省電力化および表示パネルの長寿命化を実現するとともに、表示品質の低下を避けることができる。
【発明を実施するための最良の形態】
【００１１】
（発明の実施の形態）
図１は、本発明の実施の形態に係る携帯型電子機器を示す斜視図、図２は、携帯型電子機器の各部を示し、（ａ）は上面図、（ｂ）は左側面図、（ｃ）は底面図である。この携帯型電子機器１は、楽曲や録音された音声のデータ（以下、「オーディオデータ」という。）および写真、画像等のデータ（以下、「フォトデータ」という。）を扱うことのできる携帯型音楽再生装置である。
【００１２】
（携帯型電子機器１の構成）
携帯型電子機器１は、本体１０と、本体１０の正面部１１に設けられるＥＬ素子からなるＥＬ表示部１２と、携帯型電子機器１の種々の操作を行う操作スイッチ１３０、１３１、１３２、および１３３を含む操作スイッチ群１３と、スイッチ操作に基づいて選択された機能の実行、決定等の操作を行うための決定スイッチ１４と、正面部１１の下側に設けられて音声を集音し電気信号に変換するマイクロホン１５と、本体１０の側面に設けられる電源スイッチ１６と、本体１０の側面に設けられてスイッチ操作により本体１０に設けられる種々のスイッチ入力操作の有効化、無効化を図るホールドスイッチ１７と、本体１０の側面に設けられる外部端子カバー１０Ａと、本体１０の上面に設けられるヘッドホン端子１８およびマイクロホン端子１９と、本体１０の左側面に設けられて携帯型電子機器１のリセット操作を行うためのリセットスイッチ２１と、本体１０の下面に設けられてストラップを取り付けるストラップホール２２とを有する。
【００１３】
（各部の構成）
本体１０は、ＡＢＳ樹脂をインモールド成形することによって箱状に形成されており、電源としてのリチウムイオンバッテリーと、ＭＰ３、ＷＡＶ等のフォーマットのオーディオデータ、ＪＰＥＧ、ＢＭＰ等のフォーマットのフォトデータを格納する半導体メモリからなる記憶部と、各スイッチおよび入出力の端子部を制御する回路部品を収容している。また、正面部１１には溝部１１Ａ，１１Ｂが十字状に設けられており、溝部１１Ａ，１１Ｂの交差部分には操作スイッチ群１３が配置され、操作スイッチ群１３の下側の溝部１１Ａに決定スイッチ１４が設けられている。溝部１１Ａ，１１Ｂによって矩形状に４分割された正面部は、各分割領域と溝部１１Ａ，１１Ｂがインモールド成形時にそれぞれ異なるカラーに着色されている。なお、図１および図２において図示されない背面部２０についても溝部１１Ｃ，１１Ｄが十字状に設けられて正面部１１と同様に４つの分割領域が形成されている。
【００１４】
ＥＬ表示部１２は、１．１型のカラー有機ＥＬディスプレイからなり、同サイズのＬＣＤ（Liquid Crystal Display）に比べて広い視野角を有し、表示の応答性に優れる。表示画像サイズは９６×９６ドットである。
【００１５】
操作スイッチ群１３は、操作スイッチ１３０、１３１、１３２、および１３３を十字方向に配置して形成されており、各スイッチを指等で押すことによって操作する。本実施の形態では、各メニュー画面に表示される項目の選択のほかに、操作スイッチ１３０，１３２による音量調整等の機能を実行させる。
【００１６】
決定スイッチ１４は、後述するオーディオメニューで選択されたオーディオデータの再生、一時停止のほか、各メニューで選択された機能の実行入力を行う。
【００１７】
マイクロホン１５は、音声を集音してアナログ信号を出力する。このアナログ信号に基づいて記憶部にはオーディオデータが録音される。
【００１８】
電源スイッチ１６は、スイッチを一定時間長押しすることによって携帯型電子機器１をＯＦＦ状態からＯＮ状態に、また、ＯＮ状態からＯＦＦ状態に動作させる。
【００１９】
ホールドスイッチ１７は、スイッチを一定時間長押しすることによって本体１０に設けられる全スイッチの操作の無効化を図る。また、ホールドモードで全スイッチ操作が無効となっている状態で一定時間長押しすることによってホールドモードが解除される。
【００２０】
外部端子カバー１０Ａは、弾性を有する樹脂材料によって形成されてオーディオデータ、フォトデータ等のデータの入出力を行うＵＳＢ（Universal Serial Bus）コネクタに水分、汚れが付着しないように保護している。なお、本実施の形態の携帯型電子機器１に内蔵されるリチウムイオンバッテリーは、ＵＳＢ端子にＵＳＢケーブル等を介して接続される外部機器（例えば、パーソナル・コンピュータ：ＰＣ）から供給される電力に基づいて充電されるように構成されている。
【００２１】
図３は、本発明の実施の形態に係る携帯型電子機器の主要な回路ブロック図である。なお、各部の符号について、前述した各図面で説明した構成と同一のものについては共通の引用数字を付している。
【００２２】
制御部３００は、時計機能、オーディオデータのデコードおよび再生、オーディオおよびフォトのファイルシステム管理、再生モード設定、オーディオデータ再生時のイコライザー設定、後述する省電力表示モード設定、ユーザーインターフェース制御を行う。
【００２３】
操作部３０１は、本体１０に設けられる各スイッチの操作に応じた操作信号を制御部３００に出力する。
【００２４】
記憶部３０２は、携帯型電子機器１を動作させるためのファームウエア、オーディオおよびフォトの管理に必要な管理データ、再生に必要なプログラム、後述する省電力表示モードを設定するための設定プログラム、そしてオーディオデータおよびフォトデータを記憶する。
【００２５】
表示制御部３０３は、オーディオおよびフォトのデータ、時計表示等の設定に係るメニュー項目（オーディオ、アプリ、設定）について体系化され、記憶部３０２に記憶された管理データを参照し、ＥＬ表示部１２の画像表示を制御する。なお、管理データは、前述したメニュー項目毎にさらに複数の項目をグループ化した構成を有する。
【００２６】
音声出力部３０４は、制御部３００でデコードされたオーディオデータを、バス３０９を介して入力し、アナログデータに変換してヘッドホン端子１８に出力する。この場合、制御部３００はオーディオデータの再生部として動作する。
【００２７】
音声入力部３０５は、音声信号を携帯型電子機器１で再生可能なフォーマットのオーディオデータに変換するエンコーダを有する。ここで変換されるフォーマットは、マイクロホン１５によるレコーディング（モノラル）でビットレート９６〜１２８ＫｂｐｓのＭＰ３（MPEG-1 Audio Layer3）形式であり、マイクロホン端子１９を介して入力する音声信号のダイレクトエンコーディング（ステレオ）でビットレート９６〜１２８ＫｂｐｓのＭＰ３である。また、後述するＦＭチューナー部３０７から入力するＦＭ放送に基づく音声信号についてもビットレート９６〜１２８ＫｂｐｓのステレオレコーディングによるＭＰ３ファイル化が可能である。
【００２８】
駆動回路３０６は、ユーザー操作に基づく表示画面に応じたデータを制御部３００からバス３０９を介して入力することによりＥＬ表示部１２を駆動制御する。
【００２９】
ＦＭチューナー部３０７は、ヘッドホン端子１８に接続されたステレオヘッドホンのコードをアンテナとして利用し、ＦＭ放送をステレオ受信して音声出力部３０４に出力する。なお、出力される音声信号は音声入力部で録音することができる。
【００３０】
インターフェース（Ｉ／Ｆ）部３０８は、図示しないＵＳＢ端子等に外部機器が接続されたとき、バス３０９に対してオーディオまたはフォト、あるいはその両方のデータの入出力を制御する。
【００３１】
図４は、図３に示す表示制御部での管理データに基づくグループ管理を示す構造図である。
【００３２】
表示制御部３０３は、記憶部３０２に記憶されているデータをグループ毎に管理しており、最上位に設けられるトップメニュー３３０にはオーディオメニュー３３１と、アプリメニュー３３２と、設定メニュー３３３とが下位のグループとして設けられており、図１で示した操作スイッチ群１３の操作スイッチ１３０，１３１，１３２，又は１３３および決定スイッチ１４を表示モード選択部として操作することによって選択する。
【００３３】
オーディオメニュー３３１の下位のグループには、アーティスト、アルバム、プレイリスト、およびブックマークの項目３３１０を含むナビ画面３３１Ａが設けられており、各項目３３１０はさらに下位のグループに分類されるが、ここでは図示省略する。
【００３４】
オーディオメニュー３３１のグループについて、アーティストの項目は、オーディオデータをアーティスト毎に分類した関連付けファイルを表示する。アルバムの項目は、オーディオデータのアルバム毎に分類した関連付けファイルを表示する。プレイリストの項目は、オーディオデータに対してユーザーが設定した曲目、曲順のリストに基づくタイトルの関連付けファイルを表示する。ブックマークの項目は、ユーザーがブックマークを付与したオーディオデータのタイトルを表示する。
【００３５】
アプリメニュー３３２の下位のグループには、フォト、ＦＭラジオ、マイク録音、ライン録音、および録音データの項目３３２０を含むナビ画面３３２Ａが設けられており、各項目３３２０はさらに下位のグループに分類されるが、ここでは図示省略する。
【００３６】
アプリメニュー３３２のグループについて、フォトの項目を選択すると、記憶部３０２に格納されているフォトデータを閲覧することができる。ＦＭラジオの項目を選択すると、内蔵されたＦＭラジオを操作してＦＭ放送を聴くことができる。マイク録音の項目を選択すると、マイクロホン１５を用いたボイスレコーディング等のモノラル録音を行うことができる。ライン録音の項目を選択すると、マイクロホン端子１９を介して接続された入力機器から出力される音声信号を録音することができる。録音データの項目を選択すると、携帯型電子機器１で録音され、記憶部３０２に格納されているオーディオデータを再生することができる。
【００３７】
設定メニュー３３３の下位のグループには、携帯型電子機器１の設定に関する種々の項目が含まれるが、ここではディスプレイの項目３３３０のみを図示している。このディスプレイの項目３３３０には、省電力表示モードの設定項目であるディスプレイ設定画面３３３Ｂが含まれている。
【００３８】
ディスプレイ設定画面３３３Ｂは、大別して通常表示モードと２つの省電力表示モードの選択項目を含んでおり、通常表示モードは、操作画面表示もしくはメニュー画面表示から一定時間経過後にＥＬ表示部１２の画面表示を時計表示に切り替えるものである。
【００３９】
第１の省電力表示モードは、操作画面表示もしくはメニュー画面表示から一定時間経過後にＥＬ表示部１２の画面表示を時計表示に切り替え、更に設定時間の経過後にＥＬ表示部１２への通電を停止して無表示状態とするものである。本実施の形態では、時計表示がなされた後の設定時間として５秒、１０秒、および２０秒の設定が可能である。
【００４０】
また、第２の省電力表示モードは、操作画面表示もしくはメニュー画面表示から一定時間経過後にＥＬ表示部１２の画面表示を時計表示に切り替え、この時計表示の輝度を時間の経過とともに変化させるものである。この場合、最小輝度の状態ではＥＬ表示部１２への通電が停止される。
【００４１】
時計表示とは、主として時刻を表示するために時刻を示す時計の絵柄や、デジタル表示のセグメントを容易に視認することのできる画像サイズ、表示パターンを備えたものである。
【００４２】
図５は、本発明の実施の形態に係る携帯型電子機器のＥＬ表示部の表示画像を示し、（ａ）はトップメニュー表示画像、（ｂ）はオーディオメニュー表示画面、（ｃ）はアプリメニュー表示画像、（ｄ）は時計表示画面である。
【００４３】
トップメニュー表示画像１２０には、動作表示部１２Ａとして、図５（ａ）に示すように携帯型電子機器１で実行可能な「オーディオ」、「アプリ」、「設定」の機能が表示されており、前述した選択スイッチの操作に基づいて選択表示１２１を移動させて所望の機能をハイライト表示させ、決定スイッチ１４を操作することにより選択される。また、画面上部にはオーディオデータの再生状態を示す再生状態表示１２２と、オーディオデータの再生モード（リピート）を示す再生モード表示１２３と、オーディオデータの音質を調整するイコライザーのモードを示すイコライザー表示１２４と、指定された時間に携帯型電子機器１をシャットダウンさせるスリープの設定を示すスリープ表示１２５と、ホールドモードの適否を示すホールド表示１２６と、リチウムイオンバッテリーの残量を示すバッテリー表示１２７が表示される。
【００４４】
オーディオメニュー表示画像１２８は、図５（ａ）に示すトップメニュー表示画像１２０で「オーディオ」を選択することにより表示される。このオーディオメニュー表示画像１２８には、図５（ｂ）に示すように前述の動作表示部１２Ａが表示されるとともに、オーディオデータに対応したジャケット表示１２８Ａと、アーティスト名（ＸＸＸ…）、アルバム名（ＹＹＹ…）、タイトル（ＺＺＺ…）が含まれた曲情報表示画像１２８Ｂと、画面下側に表示される再生時間表示１２９と、オーディオデータの再生進捗を示すプログレスバー１４０が表示される。なお、ここで示される再生時間表示１２９は本願でいう時計表示とは相違するものである。
【００４５】
アプリメニュー表示画像１４１は、図５（ａ）に示すトップメニュー表示画像１２０で「アプリ」を選択することにより表示される。このアプリメニュー表示画像１４１には、図５（ｃ）に示すように「フォト」、「ＦＭラジオ」、「マイク録音」、「ライン録音」、および「録音データ」の項目が選択可能に表示される。
【００４６】
時計表示画像１４２は、図５（ａ）、（ｂ）、あるいは（ｃ）に示す表示画像が表示された状態で一定時間が経過したときに表示されるものである。ここではデジタル表示に基づいて時刻を表示している。通常表示モードでは、時計表示画像１４２が表示された状態でユーザーによる操作が行われないとき、時計表示画像１４２が常時表示される。また、時計表示画像１４２が表示された状態でユーザーによる操作が行われたときは時計表示画像１４２に切り替わる前の表示画像が表示される。
【００４７】
（省電力表示モードの動作）
次に、各図面を参照して携帯型電子機器１の省電力表示モードについて説明する。以下の説明は、オーディオメニューが表示された状態で省電力表示モードに移行する場合である。
【００４８】
（第１の省電力表示モードでの動作）
図６は、第１の省電力表示モードの経過を示し、（ａ）はオーディオメニュー表示状態、（ｂ）は時計表示状態、（ｃ）はＥＬ表示部が消灯した無表示状態である。
【００４９】
予め第１の省電力表示モードが設定されている状態で、図６（ａ）に示すオーディオデータの再生が行われているとき、制御部３００は無操作状態から時計表示へ移行する時間として設定された一定の時間が経過すると、図６（ｂ）に示すデジタル時計表示の時計表示画像１４２を表示させる。さらに、前述したディスプレイ設定画面３３３Ｂで設定された時間（例えば、５秒）が経過すると、駆動回路３０６からＥＬ表示部１２への電力供給を停止することにより、ＥＬ表示部１２が消灯して無表示状態１４３となる。
【００５０】
ここで、ユーザーによって携帯型電子機器１に設けられるいずれかのスイッチが操作されたとき、あるいはヘッドホン端子１８、マイクロホン端子１９等へのデバイス挿抜が行われると、駆動回路３０６からＥＬ表示部１２への電力供給が再開される。このことにより、ＥＬ表示部１２が再点灯して図６（ｂ）に示す時計表示画像１４２が表示される。
【００５１】
また、図６（ｂ）に示す時計表示画像１４２が表示されている状態でユーザーによって携帯型電子機器１に設けられるいずれかのスイッチが操作されたときは、図６（ａ）に示すオーディオメニュー表示画像１２８が表示される。なお、オーディオデータの再生が行われていない場合についても同様の処理が行われる。
【００５２】
（第２の省電力表示モードでの動作）
図７は、第２の省電力表示モードの経過を示し、（ａ）はオーディオメニュー表示状態、（ｂ）は輝度大の明るい時計表示状態、（ｃ）は輝度小の暗い時計表示状態、（ｄ）はＥＬ表示部が消灯した無表示状態である。
【００５３】
予め第２の省電力表示モードが設定されている状態で、図７（ａ）に示すオーディオデータの再生が行われているとき、制御部３００は無操作状態から時計表示へ移行する時間として設定された一定の時間が経過すると、図７（ｂ）に示すデジタル時計表示の時計表示画像１４２を表示させる。ここまでの動作は第１の省電力表示モードでの動作と同じである。
【００５４】
次に、前述したディスプレイ設定画面３３３Ｂで設定された時間（例えば、５秒）が経過すると、駆動回路３０６からＥＬ表示部１２への電力供給が時間とともに変化し、これに伴ってＥＬ表示部１２の輝度が変化する。図７（ｂ）に示す時計表示画像１４２Ａは輝度が低下した状態を示す。そのため、ＥＬ表示部１２の時計表示は、（ｂ）−（ｃ）−（ｄ）−（ｃ）−（ｂ）の輝度変化を周期的に繰り返して行われる。
【００５５】
ここで、ユーザーによって携帯型電子機器１に設けられるいずれかのスイッチが操作されたとき、あるいはヘッドホン端子１８、マイクロホン端子１９等へのデバイス挿抜が行われたときは、図７（ａ）に示すオーディオメニュー表示画像１２８が表示される。なお、オーディオデータの再生が行われていない場合についても同様の処理が行われる。
【００５６】
なお、上記した省電力表示モードが設定されている場合の例外として、録音操作が実行されている場合とフォトデータのスライドショーが実行されているときは、実行中の機能を阻害することになるため、省電力表示モードに移行しない。
【００５７】
（発明の実施の形態の効果）
上記した実施の形態によると、携帯型電子機器１の省電力化を実現しながら、時計表示を行わせることが可能になり、携帯型電子機器１の主たる機能を損なうことなく付加価値を付与することができる。また、ＥＬ表示部１２が消灯している場合でもスイッチ操作で時計表示に復帰し、さらにスイッチ操作することでオーディオ等の操作画面に復帰することから煩雑な操作を要しない。
【００５８】
操作に必要な表示画面を表示し、操作が不要の状態では時計表示あるいは消灯するようにしたので、ＥＬ表示部１２の連続点灯時間が短くなって発熱が抑制され、ＥＬ表示部１２の長寿命化を図れる。また、ＥＬ表示部１２に画像の焼き付きが生じることによる輝度低下を長期にわたって防ぐことができる。
【００５９】
同一サイズの液晶ディスプレイに比べて視野角の広いカラー有機ＥＬ表示部１２を設けているので、第２の省電力表示モードで時計表示の輝度が連続的に変化するものであっても広範囲で時計表示を視認できる。この第２の省電力表示モードでは時計表示操作を必要とせずに時刻の確認が可能である。また、輝度を低下させることによって発熱と画像焼き付きの抑制に有効であり、時計表示の斬新さを付加しつつ、ＥＬ表示部１２に低負荷で省電力性に優れる携帯型電子機器１とできる。
【００６０】
なお、本発明は、上記した実施の形態に限定されず、本発明の技術思想を逸脱あるいは変更しない範囲内で種々な変形が可能である。携帯型電子機器１についても、上記した携帯型音楽再生装置に限定されず、携帯電話等の他の電子機器であっても良い。
【図面の簡単な説明】
【００６１】
【図１】本発明の実施の形態に係る携帯型電子機器を示す斜視図である。
【図２】本発明の実施の形態に係る携帯型電子機器の各部を示し、（ａ）は上面図、（ｂ）は左側面図、（ｃ）は底面図である。
【図３】本発明の実施の形態に係る携帯型電子機器の主要な回路ブロック図である。
【図４】図３に示す表示制御部での管理データに基づくグループ管理を示す構造図である。
【図５】本発明の実施の形態に係る携帯型電子機器のＥＬ表示部の表示画像を示し、（ａ）はトップメニュー表示画像、（ｂ）はオーディオメニュー表示画面、（ｃ）はアプリメニュー表示画像、（ｄ）は時計表示画面である。
【図６】本発明の実施の形態に係る第１の省電力表示モードの経過を示し、（ａ）はオーディオメニュー表示状態、（ｂ）は時計表示状態、（ｃ）はＥＬ表示部が消灯した無表示状態である。
【図７】本発明の実施の形態に係る第２の省電力表示モードの経過を示し、（ａ）はオーディオメニュー表示状態、（ｂ）は輝度大の明るい時計表示状態、（ｃ）は輝度小の暗い時計表示状態、（ｄ）はＥＬ表示部が消灯した無表示状態である。
【符号の説明】
【００６２】
１…携帯型電子機器  １０…本体  １０Ａ…外部端子カバー  １１…正面部  １１Ａ，１１Ｂ…溝部  １１Ｃ，１１Ｄ…溝部  １２…表示部  １２Ａ…動作表示部  １３…操作スイッチ群  １４…決定スイッチ  １５…マイクロホン  １６…電源スイッチ  １７…ホールドスイッチ  １８…ヘッドホン端子  １９…マイクロホン端子  ２０…背面部  ２１…リセットスイッチ  ２２…ストラップホール  １２０…トップメニュー表示画像  １２１…選択表示  １２２…再生状態表示  １２３…再生モード表示  １２４…イコライザー表示  １２５…スリープ表示  １２６…ホールド表示  １２７…バッテリー表示  １２８…オーディオメニュー表示画像  １２８Ａ…ジャケット表示  １２８Ｂ…曲情報表示画像  １２９…再生時間表示  １３０，１３１，１３２，１３３…操作スイッチ  １４０…プログレスバー  １４１…アプリメニュー表示画像  １４２…時計表示画像  １４３…無表示状態  ３００…制御部  ３０１…操作部  ３０２…記憶部  ３０３…表示制御部  ３０４…音声出力部  ３０５…音声入力部  ３０６…駆動回路  ３０７…ＦＭチューナー部  ３０８…Ｉ／Ｆ部  ３０９…バス  ３３０…トップメニュー  ３３１…オーディオメニュー  ３３１Ａ…ナビ画面  ３３２…アプリメニュー  ３３２Ａ…ナビ画面  ３３３…設定メニュー  ３３３Ｂ…ディスプレイ設定画面  ３３１０…項目  ３３２０…項目  ３３３０…項目
【図１】
2007133273.tif 000003
【図２】
2007133273.tif 000004
【図３】
2007133273.tif 000005
【図４】
2007133273.tif 000006
【図５】
2007133273.tif 000007
【図６】
2007133273.tif 000008
【図７】
2007133273.tif 000009